(57)【要約】【課題】止水ワッシャを用いることなく、被固定物を保持し支持パネルのクリップ係止孔に止水状態に固着されるクリップを提供すること。【解決手段】ワイヤハーネスを保持する保持部２０と、保持部２０と一体に設けられ、保持部２０の反対側に凹部を有するカップ部１２と、カップ部１２の凹面中央部より一体に突出され、取付時に、支持パネルに形成されたクリップ係止孔に進入するステム部１６と、ステム部１６の先端より一体に設けられ、取付時に、クリップ係止孔に挿通され支持パネル１のカップ部１２が密着する面と反対側の面のクリップ係止孔の周囲に密着する弾性変形可能なフック部１８と、を備え、ステム部１６は、クリップ係止孔の形状に対応する輪切り断面形状部を含む先端側が小さくなるテーパ状外周面部を有し、取付時にテーパ状外周面部がクリップ係止孔の取付側の周縁に全周嵌合状態になる構成である。【選択図】図１
2017101768.tif 000002
【特許請求の範囲】
【請求項１】
被固定物を保持する保持部と、
前記保持部と一体に設けられ、前記保持部の反対側に凹部を有するカップ部と、
前記カップ部の凹面中央部より一体に突出され、取付時に、支持パネルに形成されたクリップ係止孔に進入するステム部と、
前記ステム部の先端より一体に設けられ、取付時に、前記クリップ係止孔に挿通され前記支持パネルの前記カップ部が密着する面と反対側の面の前記クリップ係止孔の周囲に密着する弾性変形可能なフック部と、を備え、
前記ステム部は、前記クリップ係止孔の形状に対応する輪切り断面形状部を含む先端側が小さくなるテーパ状外周面部を有し、取付時に前記テーパ状外周面部が前記クリップ係止孔の取付側の周縁に全周嵌合状態になることを特徴とするクリップ。
【請求項２】
前記ステム部の先端より一体に設けられ、前記クリップ係止孔への取付時に縮径することにより前記クリップ係止孔を通過可能な大きさに形成され、かつ、前記支持パネルの前記カップ部が密着する面と反対側の面の前記クリップ係止孔の周囲に全周密着する弾性変形可能な補助止水部を、さらに備えることを特徴とする請求項１に記載のクリップ。
【請求項３】
前記フック部が、前記クリップ係止孔への取付時に縮径することにより前記クリップ係止孔を通過可能な大きさに形成され、かつ、前記クリップ係止孔への取付時に前記支持パネルの前記カップ部が密着する面と反対側の面の前記クリップ係止孔の周囲に全周密着する弾性変形可能な鍔形状であることを特徴とする請求項１に記載のクリップ。
【請求項４】
前記フック部は、前記ステム部と反対側の端面部が、前記クリップ係止孔の孔面に摺接して楔作用を生じて縮径する先細りテーパ形状に形成されていることを特徴とする請求項３に記載のクリップ。
【発明の詳細な説明】
【技術分野】
【０００１】
本発明は、ワイヤハーネス等の被固定物を保持し支持パネルのクリップ係止孔に止水状態に固着されるクリップに関する。
【背景技術】
【０００２】
一般に、車両に配策されるワイヤハーネスを車両パネル（支持パネル）に保持するため、支持パネルにクリップ係止孔を開口し、このクリップ係止孔に、ワイヤハーネスを保持するクリップが固着されるが、支持パネルが車室外に面し水がかかる環境下では、クリップ係止孔に対して止水状態に固着されるクリップが必要となっている。
【０００３】
従来、クリップ係止孔に対して止水状態に固着されるクリップとして、図８に示すように、ディスク形状のウレタン製の止水ワッシャ１０５を使用するクリップがある。
【０００４】
このクリップ１００は、樹脂製成形体と、弾性変形可能な円環状の止水ワッシャ１０５とからなり、樹脂製成形体は、ベース部１０１ａとバンド部１０１ｂとでワイヤハーネスＷに一巻きして締め付けて保持する保持部１０１と、支持パネルのクリップ係止孔の周囲に密着するフランジ部１０２と、フランジ部１０２の中央部より延びていて取付時にクリップ係止孔に挿通されるステム１０３と、ステム１０３の先端より延びていて、取付時に、クリップ係止孔に挿通され支持パネルのフランジ部１０２が密着する面と反対側の面のクリップ係止孔の周囲に密着する弾性変形可能なフック部１０４と、を有する。
【０００５】
円環状の止水ワッシャ１０５は、中心孔にフック部１０４を通しフランジ部１０２に密着され、取付時に、フランジ部１０２とフック部１０４とによるクリップ係止孔への固着により、フランジ部１０２により背面を押圧されて車両パネルのクリップ係止孔の周囲に密着し、止水するようになっている。
【０００６】
しかし、クリップ１００は、止水ワッシャ１０５が係止爪１０３ａに密着しているだけなので、クリップ１００の保管時、運搬時等に、止水ワッシャ１０５がケースの底板や他の部品に当接することにより容易に脱落してしまうという問題があり、種々の対策が取られてきた（例えば、特許文献１参照）。
【０００７】
特許文献１に開示されたクリップを図１０に示す。このクリップ１１０は、樹脂製成形体と、弾性変形可能な円環状の止水ワッシャ１１５とからなり、樹脂製成形体は、ベース部１０１ａとバンド部１０１ｂを有する保持部１１１と、フランジ部１１２と、ステム１１３と、フック部１１４と、を備えている構成については、図９に示すクリップ１００と同様である。相違点は、フランジ部１１２に、周壁部１１２ａを有するカップ形状に形成され、周壁部１１２ａで止水ワッシャ１１５を密着して囲むようになっている。
【先行技術文献】
【特許文献】
【０００８】
【特許文献１】特開平１１−８２８１５号公報
【発明の概要】
【発明が解決しようとする課題】
【０００９】
しかしながら、特許文献１に開示されたクリップ１１０は、止水ワッシャの外周を脱落防止壁部で囲むことにより、クリップ１１０がケースの底板や他の部品にぶつかった際に止水ワッシャ１１５が脱落するということが少なくなったものの、脱落を完全に防止できる構成とはなっていない。また、クリップの出荷前に止水ワッシャが適正に取り付けられていることを検査しなければならず、手間とコストが掛かっていた。
【００１０】
本発明は、上述のような課題を解決するためになされたもので、止水ワッシャを用いることなく、被固定物を保持し支持パネルのクリップ係止孔に止水状態に固着されるクリップを提供することを目的とする。
【課題を解決するための手段】
【００１１】
本発明に係るクリップは、上記目的達成のため、被固定物を保持する保持部と、前記保持部と一体に設けられ、前記保持部の反対側に凹部を有するカップ部と、前記カップ部の凹面中央部より一体に突出され、取付時に、支持パネルに形成されたクリップ係止孔に進入するステム部と、前記ステム部の先端より一体に設けられ、取付時に、前記クリップ係止孔に挿通され前記支持パネルの前記カップ部が密着する面と反対側の面の前記クリップ係止孔の周囲に密着する弾性変形可能なフック部と、を備え、前記ステム部は、前記クリップ係止孔の形状に対応する輪切り断面形状部を含む先端側が小さくなるテーパ状外周面部を有し、取付時に前記テーパ状外周面部が前記クリップ係止孔の取付側の周縁に全周嵌合状態になる構成である。
【００１２】
この構成により、本発明に係るクリップは、取付時に、ステム部の、クリップ係止孔の形状に対応する輪切り断面形状部を含む先端側が小さくなるテーパ状外周面部が、クリップ係止孔の取付側の周縁に全周嵌合状態になって止水が行われ、支持パネルの両面に密着するカップ部とフック部とステム部のテーパ状外周面部とリップ係止孔の取付側の周縁との全周嵌合状態を保持するので、被固定物を保持し支持パネルのクリップ係止孔に止水状態に固定され止水状態が永続的に保持される。このため、従来において用いられてきた止水ワッシャが不要になり、従来出荷前に行っていた止水ワッシャの適正装着の確認検査が不要になり、止水ワッシャが不要になり部品点数が減るので、製造および管理に要するコストを削減することができる。
【００１３】
前記ステム部の先端より一体に設けられ、前記クリップ係止孔への取付時に縮径することにより前記クリップ係止孔を通過可能な大きさに形成され、かつ、前記支持パネルの前記カップ部が密着する面と反対側の面の前記クリップ係止孔の周囲に全周密着する弾性変形可能な補助止水部を、さらに備える構成としてもよい。
【００１４】
この構成により、ステム部のテーパ状外周面部がクリップ係止孔に全周嵌合状態になることによる止水に加え、補助止水部が支持パネルの反対側でクリップ係止孔に全周密着することで止水している。よって、止水性能を一層向上させることができる。
【００１５】
前記フック部が、前記クリップ係止孔への取付時に縮径することにより前記クリップ係止孔を通過可能な大きさに形成され、かつ、前記クリップ係止孔への取付時に前記支持パネルの前記カップ部が密着する面と反対側の面の前記クリップ係止孔の周囲に全周密着する弾性変形可能な鍔部である構成としてもよい。
【００１６】
この構成により、本発明のクリップは、支持パネルのクリップ係止孔への取付時に、弾性変形可能な鍔部が、支持パネルの前記カップ部が密着する面と反対側の面の前記クリップ係止孔の周囲に全周密着するので、止水性が一層向上する。
【００１７】
前記フック部は、前記ステム部と反対側の端面部が、前記クリップ係止孔の孔面に摺接して楔作用を生じて縮径する先細りテーパ形状に形成されている構成としてもよい。
【００１８】
この構成により、本発明のクリップは、支持パネルのクリップ係止孔への取付時に、鍔部の先細りテーパ状の面部がクリップ係止孔の周縁に摺接して楔作用を生じて縮径し、鍔部であるフック部がクリップ係止孔に容易に挿通することができ、もって装着作業性が向上することができる。
【発明の効果】
【００１９】
本発明によれば、止水ワッシャを用いることなく、被固定物を保持し支持パネルのクリップ係止孔に止水状態に固着されるクリップを提供することができる。
【図面の簡単な説明】
【００２０】
【図１】本発明の第１の実施の形態に係るクリップの正面図である。
【図２】本発明の第１の実施の形態に係るクリップの使用状態を示す一部を断面した正面図である。
【図３】本発明の第１の実施の形態に係るクリップの使用状態を示す要部縦断面図である。
【図４】本発明の第１の実施の形態のクリップに関し、支持パネルのクリップ係止孔が円形である場合を示し、図４（ａ）は図３のＡ−Ａ矢視要部断面図であり、図４（ｂ）は図３のＢ−Ｂ矢視要部断面図である。
【図５】本発明の第１の実施の形態のクリップに関し、支持パネルのクリップ係止孔が長円形である場合を示し、図５（ａ）は図３のＡ−Ａ矢視要部断面図であり、図５（ｂ）は図３のＢ−Ｂ矢視要部断面図である。
【図６】本発明の第２の実施の形態に係るクリップの要部断面図である。
【図７】本発明の第３の実施の形態に係るクリップの要部断面図である。
【図８】本発明の第４の実施の形態に係るクリップの要部断面図である。
【図９】従来のクリップの構成を示す説明図である。
【図１０】特許文献１に記載のクリップの構成を示す断面図である。
【発明を実施するための形態】
【００２１】
以下、本発明に係る実施の形態について図面を参照して説明する。
【００２２】
（第１の実施の形態）
図１および図２に示すように、第１の実施の形態に係るクリップ１０は、被固定物であるワイヤハーネスＷを保持する保持部２０と、保持部２０と一体に設けられ、保持部２０の反対側に凹部を有するカップ部１２と、カップ部１２の凹面中央部より突出しているステム部１６と、ステム部１６の先端より一体に設けられたフック部１８と、を備えている。クリップ１０は、耐久性、耐候性、耐熱性、耐寒性、適度の剛性および肉厚調整や長さ効果により適度の可撓性を有する樹脂製成形体からなり、例えば、ポリアミド、ポリエステル、ポリプロピレン、ポリエチレン等から選ばれる。
【００２３】
クリップ１０は、自動車のボディーまたはドア等のモジュールを構成する支持パネル１のクリップ係止孔１ａに係止され、他のクリップ等と協働してワイヤハーネスＷを複数箇所で部分的に拘束することで、ワイヤハーネスＷの配索経路を規制する。
【００２４】
図２に示すように、保持部２０は、カップ部１２の凹面の反対側の凸面中央部に位置され、バンド挿通孔２４ａを有しかつバンド挿通孔２４ａ内にバンド係止爪２４ｂを有するベース部２４と、ベース部２４の一側面より延在され、ワイヤハーネスＷを一巻きしてベース部２４に固着されるバンド部２２と、を有している。バンド部２２は、バンド挿通孔２４ａに通される長さ範囲に係止される係止溝２２ａを有している。これにより、保持部２０は、バンド部２２でワイヤハーネスＷを一巻き締めした状態に保持することができる。
【００２５】
カップ部１２は、ステム部１６側が凹状になった椀形状を有している。ワイヤハーネスＷを保持した状態でクリップ１０を車両の支持パネル１に取り付ける場合、カップ部１２の周縁がクリップ係止孔１ａを取り囲んだ状態で支持パネル１の表面に当接させて、カップ部１２とフック部１８との間で支持パネル１を挟持した状態としている。
【００２６】
ステム部１６は、カップ部１２の凹面中央部より一体に突出され、取付時に、支持パネル１に形成されたクリップ係止孔１ａに進入する。ステム部１６は、カップ部１２の凹面中央部より突出し、全体的に、基端側で太く、先端側に近づくにつれて次第に細くなるように形成されている。
【００２７】
ステム部１６は、以下の構成であれば足りる。ステム部１６は、先端側が小さくなるテーパ状外周面部を有する。当該テーパ状外周面部は、クリップ係止孔１ａの形状に対応する輪切り断面形状部を含む。ステム部１６は、取付時にテーパ状外周面部がクリップ係止孔１ａの取付側の周縁に全周嵌合状態になる。
【００２８】
ここで、ステム部１６の形状・大きさについて、図４（ａ），（ｂ）、図５（ａ），（ｂ）を参照して説明する。
図４（ａ）は、支持パネルのクリップ係止孔１ａが円形である場合の、図３のＡ−Ａ矢視要部断面図を示し、図４（ｂ）は図３のＢ−Ｂ矢視要部断面図を示す。図５（ａ）は、支持パネルのクリップ係止孔１ａが長円形である場合の、図３のＡ−Ａ矢視要部断面図を示し、図５（ｂ）は図３のＢ−Ｂ矢視要部断面図を示す。
図４（ａ），（ｂ）、図５（ａ），（ｂ）において、符号１ａは、クリップ係止孔１ａの形状を示し、符号１６は、ステム部１６を示し、符号１６ａは、図３のＡ−Ａ矢視要部断面図に対応するステム部１６の先端断面形状を示し、符号１６ｂは、図３のＢ−Ｂ矢視要部断面図に対応するステム部１６の断面形状を示す。
【００２９】
クリップ係止孔１ａの形状としては、図４（ａ），（ｂ）、図５（ａ），（ｂ）に示す円形または長円形のほかに、楕円形、隅丸の矩形などの形状としてもよい。ステム部１６は、クリップ係止孔１ａの形状に対応した立体形状に形状される必要がある。
【００３０】
具体的には、ステム部１６は、先端の断面形状が、クリップ係止孔１ａの円形、長円形、楕円形、隅丸の矩形などの開口形状に対して、例えば、周囲が０．５〜１ｍｍ小さい大きさとされるとともに、基端の断面形状が、クリップ係止孔１ａの円形、長円形、楕円形、隅丸の矩形などの開口形状に対して、例えば周囲が２〜３ｍｍ大きい大きさとされることにより、全体がラッパ状である。これによって、クリップ係止孔１ａの形状に対応する輪切り断面形状部を含む先端側が小さくなるテーパ状外周面部を有し、取付時に前記テーパ状外周面部が前記クリップ係止孔１ａの取付側の周縁に全周嵌合状態になり、支持パネルのクリップ係止孔１ａに対する止水機能を有する。
【００３１】
フック部１８は、ステム部１６の先端面より一体に突出している支柱部１８ａを有し、各一端部が支柱部１８ａの先端部に一体に固定され中途部が互いに離れかつ支柱部１８ａから離れるようにカップ部１２の方向に延びていて、他端部に取付時にクリップ係止孔１ａの周縁に係合する複数の係止爪１８ｂ、１８ｂを有し、全体として碇形に形成されている。なお、フック部１８は、係止爪を３〜６個有する構成であってもよい。
【００３２】
フック部１８は、取付時に、クリップ係止孔１ａに挿通され、複数の係止爪１８ｂがクリップ係止孔１ａの孔面に摺接しつつ縮径することによりクリップ係止孔１ａを通過し、通過時点で、拡径して支持パネル１のカップ部１２が密着する面と反対側の面のクリップ係止孔１ａの周縁に係合するようになっている。
【００３３】
一対の係止爪１８ｂ、１８ｂは、支持パネル１のクリップ係止孔１ａに挿入されるとき、それらの自由端部１８ｃを互いに接近させるように一時的に弾性変形し、自由端部１８ｃがクリップ係止孔１ａを通過したときに形状復帰する。そして、その形状復帰時に、各係止爪１８ｂの自由端部１８ｃが支持パネル１に密着するようになっている。
【００３４】
クリップ１０は、このようにフック部１８の各係止爪１８ｂの自由端部１８ｃが支持パネル１のカップ部１２が密着する面と反対側の面のクリップ係止孔１ａの周縁に係止したとき、フック部１８がクリップ係止孔１ａから脱出不能になるように構成されている。図２に示すように、クリップ１０は、保持部２０がワイヤハーネスＷを保持し、フック部１８がクリップ係止孔１ａに係止される。
【００３５】
上記構成のクリップ１０は、支持パネル１のクリップ係止孔１ａへの取付時に、カップ部１２がクリップ係止孔１ａの周囲に密着し、ステム部１６がクリップ係止孔１ａに進入し、かつステム部１６の外周面の中途部（テーパ状外周面部）がクリップ係止孔１ａのカップ側の周縁に全周嵌合状態になり、クリップ係止孔１ａに対する止水が行われる。クリップ１０は、フック部１８がクリップ係止孔１ａに挿通され、フック部１８の自由端部１８ｃが支持パネル１のカップ部１２が密着する面と反対側の面に密着する状態になる。クリップ１０は、カップ部１２とフック部１８とが支持パネル１の両面のクリップ係止孔１ａの周囲を挟持し、ステム部１６の外周面の中途部（テーパ状外周面部）とクリップ係止孔１ａのカップ側の周縁との全周嵌合状態を永続的に保持する。
【００３６】
クリップ１０は、従来用いられてきた止水ワッシャが不要であるので、装着作業性を向上することができ、従来出荷前に行っていた止水ワッシャの適正装着の確認検査が不要になり、部品点数が減り、製造および管理に要するコストを削減することができる。
【００３７】
第１の実施の形態のクリップ１０の変形例として、保持部２０以外の構成部分が、ワイヤハーネスＷに取り付けられる基板に一体に設けられるタイプや、ワイヤハーネスＷに外装するプロテクタに一体に設けられるタイプ等であってもよい。すなわち、保持部２０が、バンドタイプでなく、基板やプロテクタ等であってもよい。
【００３８】
（第２の実施の形態）
次に、図６を参照して本発明の第２の実施の形態に係るクリップ３０について説明する。
クリップ３０は、補助止水部１９以外の構成が前述の第１の実施の形態のクリップ１０と同様な構成を有しているので、第１の実施の形態中の対応する構成要素の符号を用いて説明を省略する。
【００３９】
補助止水部１９は、ステム部１６の先端より一体に設けられ、弾性変形可能であり、クリップ係止孔１ａへの取付時に縮径することによりクリップ係止孔１ａを通過可能な大きさに形成されている。また、補助止水部１９は、クリップ係止孔１ａへの取付時に支持パネル１のカップ部１２が密着する面と反対側の面のクリップ係止孔１ａの周囲に全周密着する。したがって、ステム部１６のテーパ状外周面部がクリップ係止孔１ａに全周嵌合することによる止水機能に加え、補助止水部１９が支持パネル１の反対側でクリップ係止孔１ａに全周密着することによる補助的な止水機能を有している。また、クリップ３０が支持パネル１のクリップ係止孔１ａに取付けられた後は、補助止水部１９がクリップ３０の抜け防止機能をも果たしている。
【００４０】
（第３の実施の形態）
次に、図７を参照して本発明の第３の実施の形態に係るクリップ４０について説明する。
クリップ４０は、フック部４１以外の構成が前述の第１の実施の形態のクリップ１０と同様な構成を有しているので、第１の実施の形態中の対応する構成要素の符号を用いて説明を省略する。
【００４１】
フック部４１は、ステム部１６の先端に一体で設けられた弾性変形可能な肉厚が均一な鍔形状であり、支持パネル１への取付時に、弾性変形により縮径してクリップ係止孔１ａに挿通されて支持パネル１のカップ部１２が密着する面と反対側の面のクリップ係止孔１ａの周囲に全周密着する。したがって、クリップ４０は、クリップ係止孔１ａに対するステム部１６の嵌合による止水機能に加え、支持パネル１に対するカップ部１２とフック部４１による両面密着による補助的な止水機能を有する。
【００４２】
（第４の実施の形態）
次に、図８を参照して本発明の第４の実施の形態に係るクリップ５０について説明する。
クリップ５０は、フック部５１以外の構成が前述の第１の実施の形態のクリップ１０と同様な構成を有しているので、第１の実施の形態中の対応する構成要素の符号を用いて説明を省略する。
【００４３】
フック部５１は、ステム部１６の先端に一体で設けられた弾性変形可能な鍔形状であり、支持パネル１への取付時に、弾性変形により縮径してクリップ係止孔１ａに挿通されて支持パネル１のカップ部１２が密着する面と反対側の面のクリップ係止孔１ａの周囲に全周密着する。フック部５１は、第２の実施の形態とのフック部４１との相違点として、前記ステム部と反対側の端面部５１ａが、前記クリップ係止孔の孔面に摺接して楔作用を生じて縮径する先細りテーパ形状に形成されており、支持パネル１のクリップ係止孔１ａへの取付時に、フック部５１のステム部１６と反対側の端面部５１ａがクリップ係止孔１ａの孔面に摺接して楔作用を生じて縮径し、クリップ係止孔１ａに容易に挿通され、もって装着作業性が向上することができる。
【００４４】
クリップ５０は、クリップ係止孔１ａに対するステム部１６の嵌合による止水機能に加え、支持パネル１に対するカップ部１２とフック部５１による両面密着による補助的な止水機能を有する。
【００４５】
本発明は、上記の実施の形態に限定されるものではなく、特許請求の範囲の技術的範囲には、発明の要旨を逸脱しない範囲内で、種々、設計変更した形態が含まれる。例えば、第４の実施形態に係るクリップ５０において、フック部５１の上部に第１の実施形態の支柱部１８ａと係止爪１８ｂとを一体に設ける構成としてもよい。
【００４６】
以上のように、本発明のクリップによれば、止水ワッシャを用いることなく、被固定物を保持し支持パネルのクリップ係止孔に止水状態に固着されるという効果を有し、ワイヤハーネスなどの被固定物を配策経路を規制するために被固定物を保持し支持パネルのクリップ係止孔に止水状態に固着されるクリップ全般に有用である。
【符号の説明】
【００４７】
１  支持パネル
１ａ  クリップ係止孔
１０、３０、４０、５０  クリップ
１２  カップ部
１６  ステム部
１８、４１、５１  フック部
１８ａ  支柱部
１８ｂ  係止爪
１９  補助止水部
２０  保持部
５１ａ  端面部
Ｗ  ワイヤハーネス（被固定物）
【図１】
2017101768.tif 000003
【図２】
2017101768.tif 000004
【図３】
2017101768.tif 000005
【図４】
2017101768.tif 000006
【図５】
2017101768.tif 000007
【図６】
2017101768.tif 000008
【図７】
2017101768.tif 000009
【図８】
2017101768.tif 000010
【図９】
2017101768.tif 000011
【図１０】
2017101768.tif 000012